(57)【要約】      （修正有）【課題】アイアン特有のダウンブロースイングを矯正できるゴルフスイング矯正マットを提供する。【解決手段】アイアンのダウンブロースイング矯正マットであって、マット１０の上面にゴム製のブロック体２０を取り付ける。スイング中にアイアンヘッドのソールでブロック体とマットを叩くことにより衝突を感じ、正しいスイングであることを確認することでダウンブロースイングを習得できる。【選択図】図２
0003228946.tif 000002
【実用新案登録請求の範囲】
【請求項１】
ゴルフボールをインパクトする瞬間に於いて、当該ゴルフボールを正しく叩くクラブヘッドの位置と軌道の確認並びに正しいスイングを習得する用具であって、マットと当該マットの上にブロック体が取り付けられていることを特徴とするゴルフスイング矯正マット。
【請求項２】
前記ブロック体の高さは、ゴルフボールの直径に対して１／１０倍以上、直径以下であることを特徴とする請求項１記載のゴルフスイング矯正マット。
【請求項３】
前記マットの一辺に紐、ゴム紐又はバネが取り付けられていることを特徴とする請求項１記載のゴルフスイング矯正マット。
【考案の詳細な説明】
【技術分野】
【０００１】本考案は、ゴルフスイングを矯正するマットに関するものである。
【背景技術】
【０００２】ゴルフプレーを行う場合には、ウッド、アイアン、パターと呼ばれるクラブセットを準備するが、それぞれのクラブによって打ち方が異なる。特に、アイアンはスコアーを左右するほど重要なクラブであると呼ばれている。【０００３】アイアンの番手には、１Ｉから９Ｉ、ＰＷ（ピッチング・ウェッジ）、ＡＷ（アプローチ・ウェッジ）、ＳＷ（サンド・ウェッジ）およびＬＷ（ロブ・ウェッジ）があり、近年ではロングアイアンと呼ばれるものは使用せず、ユーティリティーを含め５Ｉ若しくは６Ｉ以降のセッチングが増えている。【０００４】アイアンの基本的な打ち方は、ダウンブローと呼ばれるスイングであり地面に対して打ち込むような降下打ちである。当該打ち方を習得する方法としては非特許文献１にゴルフボールの７ｃｍから１０ｃｍ後ろに鉛筆を置き、その鉛筆を当てないようにスイングする方法が提案されている。
【先行技術文献】
【特許文献】
【０００５】
【特許文献１】特開２００７−２９１４８号公報
【特許文献２】特許第６３９９６６４号公報
【特許文献３】実用新案登録第３０２９１９４号公報
【非特許文献】
【０００６】
【非特許文献１】ｈｔｔｐｓ：／／ｇｏｌｆ−ｊａｌａｎ．ｎｅｔ／ｃｏｎｔｅｎｔｓ／ｃｌｕｂ／ｉｒｏｎ／２５２１／
【考案の概要】
【考案が解決しようとする課題】
【０００７】特許文献１は、ゴルフのスイングを矯正するゴルフのスイング矯正器具であって、ボールとユーザの間の位置またはボールを挟んでユーザと対向する位置の少なくとも一方に配置されるとともに、良好なスイングのボールのインパクト前後におけるクラブのヘッドの軌跡と略平行な傾斜面を有することを特徴とするゴルフのスイング矯正器具が提案されている。【０００８】特許文献２にはゴルフクラブのスイングの練習時に用いられて、前記ゴルフクラブのスイング軌道を矯正するスイング矯正具であって、プレーヤの足下前方に設置される可撓性材料によって形成された本体を備え、この本体の上部には、理想のスイング方向、および、前記プレーヤの足位置の目安となるガイドラインが設けられ、前記本体の、前記プレーヤが位置する側と反対側の部位には、前記ガイドラインと平行で、かつ、前記ゴルフクラブのライ角に合わせて傾斜させられたスイングガイド面が設けられ、前記スイングガイド面には、このスイングガイド面から垂直方向に突出し、その突出端部が前記スイングガイド面と平行となされた一対のスイングガイド片が、前記ガイドライン方向に間隔をおいて設けられているゴルフのスイング矯正具が提案されている。【０００９】特許文献３は、表面に多数の同じ大きさの円形突起物が縦横方向に等間隔に規則正しく並べられ、前記円形突起物は列毎に相互に異なる色に着色したゴルフスイング矯正用マットが提案されている。【００１０】しかし、前記特許文献ではゴルフスイング軌道を正しく矯正するものやゴルフボールをファイス面に当てた位置の確認を行うものであり、ダウンブローのインパクトの際にゴルフボールを叩く正しい位置および軌道の確認および正しいスイングを習得するものはなかった。
【課題を解決するための手段】
【００１１】上記課題に鑑み、考案者は創意工夫の結果、アイアンを使用したダウンブローのスイングを習得するだけでなくゴルフボールをインパクトする瞬間の該ゴルフボールを叩く正しい位置および軌道を確認できるゴルフトレーニング用具を提案する。【００１２】ダウンブローのスイングについては直交座標を使用してのダウンブローの打ち方を説明する簡略図を図１に示すが、Ｘ軸とＹ軸に接するようにゴルフボール５０を配置し、前記ゴルフボールの中心を通りＸ座標と平行な線を赤道ＲＬとし、矢印で示した方向がアイアンのヘッドの軌跡である。アイアンヘッドは該ゴルフボールの赤道より高い位置から打ち込み、該ボールの中心より下側を抜けて最終的にはＸ−Ｙ直交座標の原点をアイアンヘッドのソールが通過することが理想的なスイングである。【００１３】上述した理想的なダウンブローを実現すべく、図２は本考案の実施形態であるゴルフスイング矯正マットの側面部の拡大図を示しており、ダウンブローのスイングを行う際に前記ブロック体のインパクトの際にマットの衝突も同時に感じれば正しいスイングであることを確認できるものである。【００１４】ブロック体とのインパクト時の衝撃を緩和するために前記ブロック体の材質は柔軟性の材質、例えばゴム製や樹脂製であることが好ましい。尚、前記ブロック体はマットに固定する構造となっているが、着脱可能な取り付け方手段を採用しても良い。【００１５】前記ブロック体の高さは、現実のゴルフボールの高さを意識できるように最大でゴルフボールの直径と同等としており、ダウンブローのスイングの上達と共に当該ブロック体の高さを短くできるようにしてあり最小でゴルフボールの直径の１／１０倍とする。併せて、ブロック体の幅も小さくしていくことによりヘッド部に的確に当たっていることを確認できる。
【考案の効果】
【００１６】本考案のゴルフスイング矯正マットを使用することにより自宅などでも簡単にゴルフスイングの訓練をすることが可能となる。
【図面の簡単な説明】
【００１７】
【図１】Ｘ−Ｙ直交座標を使用してのダウンブローの打ち方を説明する簡略図
【図２】本考案の実施形態であるゴルフスイング矯正マット側面部の拡大図
【図３】本考案の実施形態であるゴルフスイング矯正マットの上面図
【図４】本考案の実施形態である錘を連結したゴルフスイング矯正マットの上面図
【図５】本考案の他の実施形態である錘を連結したゴルフスイング矯正マットの上面図
【考案を実施するための形態】
【００１８】図面を参照しながら、本考案を実施するための形態について説明する。
【実施例】
【００１９】図３は、本考案の実施形態であるゴルフスイング矯正マット１００の上面図を示すが縦幅５０ｃｍ×横幅８０ｃｍのマット１０の上面に縦幅４．２ｃｍ×横幅２ｃｍ×高さがマット上面からゴルフボールの半径と略同じとなる２．１ｃｍとなるようなゴム製のブロック体２０を固定したものである。【００２０】図４は、本考案の実施形態である錘を連結したゴルフスイング矯正マット１５０の上面図を示すが、縦幅４５ｃｍ×横幅５０ｃｍのマット１５の上面に縦幅４．２ｃｍ×横幅２ｃｍ×高さがマット上からゴルフボールの半径と略同じとなる２．１ｃｍとなるようにゴム製のブロック体２５を固定したものであり、前記マットの後方部は紐３０を介して錘４０に連結している。【００２１】図５は、本考案の他の実施形態である錘を連結したゴルフスイング矯正マット２００の上面図であり縦幅４５ｃｍ×横幅５０ｃｍのマット１７の上面に縦幅４．２ｃｍ×横幅２ｃｍ×高さがマット上から１．０ｃｍのゴム製のブロック体２７を固定し、前記マットの後方部はゴム紐３５を介して錘４５に連結している。前記ゴム紐を使用することによりスイング時のインパクトによる衝撃で移動したマットが元の位置に戻る構造となっている。【００２２】尚、本考案に係るゴルフスイング矯正マットの具体的な構造は、上記実施形態に限られたものでなく考案の要旨を逸脱しない範囲で変更可能である。
【符合の説明】
【００２３】１０    マット
１５    マット
１７    マット
２０    ブロック体
２５    ブロック体
２７    ブロック体
３０    紐
３５    ゴム紐
４０    錘
４５    錘
５０    ゴルフボール
ＲＬ    赤道
１００  本考案の実施形態であるゴルフスイング矯正マット
１５０  本考案の実施形態である錘を連結したゴルフスイング矯正マット
２００  本考案の他の実施形態である錘を連結したゴルフスイング矯正マット
【図１】
0003228946.tif 000003
【図２】
0003228946.tif 000004
【図３】
0003228946.tif 000005
【図４】
0003228946.tif 000006
【図５】
0003228946.tif 000007